(57)【要約】【課題】少数派の利用者の要望も多数派の利用者の要望と同様に実現可能な空調制御システムを提供する。【解決手段】サーバ装置４では、要望情報取得手段４１が入力装置３から利用者の相反する二つの要望を取得し、制御計画立案手段４３が、消費エネルギーを増加させる要望情報Ｉｎｆの率と第１の基準値Ｋ１とを比較することで消費エネルギーを増加させる方向へ目標温度Ｔｏを変化させ、消費エネルギーを低減させる要望情報Ｉｎｆの率と第２の基準値Ｋ２とを比較することで消費エネルギーを低減させる方向へ目標温度Ｔｏを変化させ、基準値設定手段４７が、個人属性記憶手段４６に格納した全利用者の個人属性情報における女性、男性の割合に応じて、第１，第２の基準値Ｋ１，Ｋ２を変動可能に各々設定する。【選択図】図１
2008241160.tif 000002
【特許請求の範囲】
【請求項１】
空調対象の空間の温度を変動させる空調設備装置と、目標温度に基づいて空調設備装置の動作を制御する空調制御装置と、空調制御装置に目標温度を設定する中央制御装置と、前記空間に存在する利用者から空間の温度に対する相反する二つの要望を入力する入力装置とを備え、
中央制御装置は、入力装置から利用者の相反する二つの要望を取得する要望情報取得手段と、一方の要望情報の率と第１の基準値とを比較することで一方の方向へ目標温度を変化させ、他方の要望情報の率と第２の基準値とを比較することで他方の方向へ目標温度を変化させる制御計画立案手段と、第１，第２の基準値を変動可能に各々設定する基準値設定手段とを備える
ことを特徴とする空調制御システム。
【請求項２】
全利用者の個人属性情報を格納した個人属性記憶手段を備え、前記基準値設定手段は、全利用者の個人属性情報における同一属性の割合に応じて、第１，第２の基準値を変動可能に各々設定することを特徴とする請求項１記載の空調制御システム。
【請求項３】
前記個人属性情報は性別であり、前記基準値設定手段は、全利用者の男性と女性の割合に応じて、第１，第２の基準値を変動可能に各々設定することを特徴とする請求項２記載の空調制御システム。
【請求項４】
前記基準値設定手段は、目標温度に応じて、第１，第２の基準値を変動可能に各々設定することを特徴とする請求項１記載の空調制御システム。
【請求項５】
前記制御計画立案手段は、消費エネルギーを増加させる要望情報の率と第１の基準値とを比較することで消費エネルギーを増加させる方向へ目標温度を変化させ、消費エネルギーを低減させる要望情報の率と第２の基準値とを比較することで消費エネルギーを低減させる方向へ目標温度を変化させることを特徴とする請求項１乃至４いずれか記載の空調制御システム。
【請求項６】
第１，第２の基準値は互いに異なる値であることを特徴とする請求項１乃至５いずれか記載の空調制御システム。
【発明の詳細な説明】
【技術分野】
【０００１】
本発明は、空調制御システムに関するものである。
【背景技術】
【０００２】
近年、温暖化による省エネルギーの社会的要求が高まっている。現在の省エネルギー法は、民生部門に対して、機器単体の省エネルギー性能の向上だけでなく、ＢＥＭＳ（Building and Energy ManagementSystem）などを利用した管理面での省エネルギーも義務付けている。
【０００３】
しかし、ビル管理の実態として、ビル管理者は必ずしも快適性および省エネルギーの観点から冷房、暖房等の空調装置を適切に運用しているわけではない。特に、省エネルギーと快適性とが複雑に関係する居住空間の温熱環境管理（例えば、温度管理）に関しては、管理の容易さから慣習的な目標温度を設定し、温熱環境を享受する利用者からのクレームによって設定値を変更する場合が一般的である。
【０００４】
つまり、建物や居住者の特性を十分に考慮しないで温度管理を行うため、居住空間は必ずしも利用者の快適な状態に保たれず、さらには空調装置で消費されるエネルギーの無駄が発生する場合がある。また、利用者はビル管理者の管理する温熱環境下におり、自己の温熱環境をコントロールできないことに対して不満がある利用者もいる。
【０００５】
このような空調制御の温度管理がもたらす問題に対して、利用者の温熱環境に対する要望を各個人が操作するパーソナルコンピュータ端末（以下、パソコンと称す）からリアルタイムで収集し、収集された各要望に基づいて目標温度を設定する方法があり、利用者が要望する温熱環境と目標温度とをリアルタイムに関連付け、時々刻々と変化する利用者特性や、居住空間の実際の温度と検出温度との差などの各建物の特性に応じて温熱環境を変化させることを可能にしている。（例えば、特許文献１参照）。
【特許文献１】特開２００４−２０５２０２号公報
【発明の開示】
【発明が解決しようとする課題】
【０００６】
上記特許文献１のように、利用者の要望に基づいて目標温度を設定するシステムでは、消費エネルギーを増加させる要望情報の率（冷房時には「温度を下げてほしい」という要望、暖房時には「温度を上げてほしい」という要望）が第１の基準値以上であれば消費エネルギーを増加させる方向へ目標温度を変化させ、消費エネルギーを低減させる要望情報の率（冷房時には「温度を上げてほしい」という要望、暖房時には「温度を下げてほしい」という要望）が第２の基準値以上であれば消費エネルギーを低減させる方向へ目標温度を変化させる制御が行われており、この第１，第２の基準値は一定値に固定されており、変動させることができなかった。
【０００７】
しかし、全利用者のうち、一方の要望を申告する人数が多く、他方の要望を申告する人数が少ない場合、遠慮等の事情によって、少数派の利用者は自分の要望を申告し難くなるという状況がある。例えば、一般に男性と女性とでは温度に対する感じ方が異なり、一般に男性のほうが暑がりであり、女性のほうが寒がりであるといえ、冷房時に女性は冷え過ぎる傾向にあり、女性が温度を上げたいと思っても、男性が多く女性が少ないオフィスの場合、多数派の男性に遠慮して、「温度を上げてほしい」という要望をなかなか申告できない。
【０００８】
また、多数派の利用者が１２人、少数派の利用者が４人、要望を採用するか否かを判定する基準値が要望率２０％［（１２＋４）×０．２＝３．２≒４人］の場合、多数派の利用者は、１２人中４人の要望があれば採用され、少数派の利用者は、４人全員の要望がなければ採用されない。
【０００９】
このような場合、少数派の利用者は、例え自分が要望を申告したとしても採用されることはなく、多数派の利用者の要望が採用されてしまうと考えて申告をしない状況が生じ、少数派の要望がますます実現されにくくなり、一方、多数派の利用者の要望がますます実現されやすくなる。
【００１０】
したがって、多数派の利用者と少数派の利用者の各要望が、同じように実現可能な空調制御システムが求められていた。
【００１１】
本発明は、上記事由に鑑みてなされたものであり、その目的は、少数派の利用者の要望も多数派の利用者の要望と同様に実現可能な空調制御システムを提供することにある。
【課題を解決するための手段】
【００１２】
請求項１の発明は、空調対象の空間の温度を変動させる空調設備装置と、目標温度に基づいて空調設備装置の動作を制御する空調制御装置と、空調制御装置に目標温度を設定する中央制御装置と、前記空間に存在する利用者から空間の温度に対する相反する二つの要望を入力する入力装置とを備え、中央制御装置は、入力装置から利用者の相反する二つの要望を取得する要望情報取得手段と、一方の要望情報の率と第１の基準値とを比較することで一方の方向へ目標温度を変化させ、他方の要望情報の率と第２の基準値とを比較することで他方の方向へ目標温度を変化させる制御計画立案手段と、第１，第２の基準値を変動可能に各々設定する基準値設定段とを備えることを特徴とする。
【００１３】
この発明によれば、利用者の要望に基づく目標温度を設定して快適性を維持しながら、第１，第２の基準値を変動可能に各々設定することで、少数派の利用者の要望も多数派の利用者の要望と同様に実現可能となる。
【００１４】
請求項２の発明は、請求項１において、全利用者の個人属性情報を格納した個人属性記憶手段を備え、前記基準値設定手段は、全利用者の個人属性情報における同一属性の割合に応じて、第１，第２の基準値を変動可能に各々設定することを特徴とする。
【００１５】
この発明によれば、利用者の要望に基づく目標温度を設定して快適性を維持しながら、第１，第２の基準値を利用者の属性の割合に応じて変動可能に各々設定することで、属性によって温度に対する感じ方が異なる場合でも、多数派の利用者と少数派の利用者の各要望が同じように実現可能となる。
【００１６】
請求項３の発明は、請求項２において、前記個人属性情報は性別であり、前記基準値設定手段は、全利用者の男性と女性の割合に応じて、第１，第２の基準値を変動可能に各々設定することを特徴とする。
【００１７】
この発明によれば、利用者の要望に基づく目標温度を設定して快適性を維持しながら、第１，第２の基準値の比を利用者の男性と女性の割合に応じて変動可能に各々設定することで、性別によって温度に対する感じ方が異なる場合でも、多数派の性別を有する利用者と少数派の性別を有する利用者の各要望が同じように実現可能となる。
【００１８】
請求項４の発明は、請求項１において、前記基準値設定手段は、目標温度に応じて、第１，第２の基準値を変動可能に各々設定することを特徴とする。
【００１９】
この発明によれば、利用者の要望に基づく目標温度を設定して快適性を維持しながら、第１，第２の基準値の比を目標温度に応じて変動可能に各々設定することで、利用者によって温度に対する感じ方が異なる場合でも、多数派の利用者と少数派の利用者の各要望が同じように実現可能となる。
【００２０】
請求項５の発明は、請求項１乃至４いずれかにおいて、前記制御計画立案手段は、消費エネルギーを増加させる要望情報の率と第１の基準値とを比較することで消費エネルギーを増加させる方向へ目標温度を変化させ、消費エネルギーを低減させる要望情報の率と第２の基準値とを比較することで消費エネルギーを低減させる方向へ目標温度を変化させることを特徴とする。
【００２１】
この発明によれば、省エネルギー化を考慮することができる。
【００２２】
請求項６の発明は、請求項１乃至５いずれかにおいて、第１，第２の基準値は互いに異なる値であることを特徴とする。
【００２３】
この発明によれば、第１，第２の基準値に互いに異なる重み付けをすることで、少数派の利用者および多数派の利用者の各要望の実現率を同レベルに設定することができる。
【発明の効果】
【００２４】
以上説明したように、本発明では、多数派の利用者と少数派の利用者の各要望が、同じように実現可能になるという効果がある。
【発明を実施するための最良の形態】
【００２５】
以下、本発明の実施の形態を図面に基づいて説明する。
【００２６】
（実施形態１）
図１は、本実施形態の空調制御システムの構成を示しており、１乃至複数の利用者が存在し、本システムによって温熱環境を構築する空間（例えば建物内のフロア、各部屋、或いは広域な公共エリア）Ａに設置される空調設備装置１及び空調制御装置２と、空間Ａ内の各利用者が空間Ａの温度に対する要望情報Ｉｎｆを入力する通信ネットワークＮＴ（イーサネット（登録商標）等）上の個人用パソコン端末からなる複数の入力装置３と、各入力装置３に通信ネットワークＮＴを介して接続し、各利用者が入力した要望情報Ｉｎｆに基づいて空間Ａの目標温度Ｔｏを設定する中央制御装置（以降、サーバ装置と称す）４とで構成される。
【００２７】
サーバ装置４は、入力装置３から通信ネットワークＮＴを介して要望情報Ｉｎｆを取得する要望情報取得手段４１と、要望情報Ｉｎｆを集計して、該集計内容と判断基準のデータベース４２に登録してある判断基準とに基づき、空間Ａの目標温度Ｔｏを導出し、空調制御装置２へ通信ネットワークＮＴを介して渡す制御計画立案手段４３と、要望情報Ｉｎｆ、目標温度Ｔｏ等の履歴を格納する履歴記憶手段４４と、各利用者の個人属性情報のデータベース４５と、個人属性データベース４５から抽出された現在の全利用者の個人属性情報を格納する個人属性記憶手段４６と、個人属性記憶手段４６内の全利用者の個人属性情報に基づいて判断基準データベース４２に登録してある判断基準の設定を行う基準値設定手段４７とで構成される。
【００２８】
本実施形態のシステムに用いる空調設備装置１は、図２（ａ）に示すように冷凍機（冷却塔）或いはボイラからなる熱源（図示せず）から冷温水の形態で空調機器室１００内に設置した空調機１０１と、空間Ａ内に配設したダクト１０２と、吹出口１０４とからなる空調設備で構成され、空調機１０１内で空気の加熱、冷却（空気との熱交換）を行い、この熱交換された空気を、ダクト１０２を通じて環境制御対象のフロアたる空間Ａに設けられた十数カ所の吹出口１０４から空間Ａ内に給気するようになっている。還気については空間Ａの中央通路より空調機器室１００に向け破線で示す還気経路１０５を確保し、同時に外気を混合し、空気調和を実施する空調設備を用いている。この空調設備では、空調機１０１が給気温度を変更し、室内温度を制御するようになっている。
【００２９】
ここで本実施形態の温熱環境制御対象の空間Ａは、例えばオフィスのフロアであり、この空間Ａには図２（ｂ）に示すように机１０６が多数配置され、これら各机が個人個人により使用されるようなっている。このような空間Ａにおいて、温熱環境を享受する利用者使用の机上のパーソナルコンピュータたる入力装置３は、サーバ装置４内の図示しないＷＥＢサーバにアクセスし、環境情報を入力するためのコンテンツを当該ＷＥＢサーバから取得することで、要望情報入力手段３１を実現している。図示例では全ての入力装置３は通信ネットワークＮＴを介して、サーバ装置４との交信可能なシステムが構築されているものとし、サーバ装置４と入力装置３との間で、要望情報入力手段３１を実現する一般的なブラウザソフトが稼動する。各入力装置３は、環境情報を入力する際に、対象となる空調設備装置１の空調番号（当該空調設備装置１の空調エリアを特定する番号）、およびユニークな識別情報（例えば、個人名もしくはメールアドレス等）が入力され、環境情報Ｉｎｆは、該ユニークな識別情報および空調番号とともにサーバ装置４に引き渡される。
【００３０】
サーバ装置４は本実施形態のシステムの中枢を構成するものであり、データ取得のタイミング等を有し、各入力装置３が起動して環境情報を入力するためのコンテンツが自動的に立ち上がると、この立ち上がりに対応して当該入力装置３に対して、必要なデータを提供する機能を備えている。
【００３１】
つまり環境情報を入力するためのコンテンツは入力装置３が起動すると自動的に立ち上がる設定となっており、立ち上がりと同時にサーバ装置４に対して入力装置３はアクセスを行い、自身の起動を示す信号（識別情報）を送るとともに、質問形式のフォーマットなど必要な情報をサーバ装置４側から取得する。なお、入力装置３が自身の起動を示す信号をサーバ装置４へ送信する構成は、上記構成に限定されるものではない。
【００３２】
そして、サーバ装置４の個人属性データベース４５には、利用者の氏名、性別、年齢等によって構成される個人属性情報が各識別情報に対応して予め登録されており（すなわち、各入力装置３を利用する特定の利用者の個人属性情報が予め登録されている）、サーバ装置４は、入力装置３の起動を示す識別情報を受け取ると、個人属性データベース４５からこの識別情報に対応する個人属性情報を抽出して個人属性記憶手段４６に格納する。すなわち、個人属性記憶手段４６には、現在起動している入力装置３の全利用者の個人属性情報が格納される。
【００３３】
図３は入力装置３の起動後のモニタ画面を示しており、当該入力装置３の利用者が現在の空間Ａの温度に対する要望を示す要望情報Ｉｎｆを入力する画面であって、「温度を上げてほしい」、「温度を下げてほしい」という温度への相反する二つの要望を各々選択して入力する画面であって、該当する要望に対応するチェック欄Ｃ１，Ｃ２をマウス等のポインティングデバイスを用いてチェックし、送信釦Ｂ１をクリック操作することにより、その時点での特定の利用者の要望情報Ｉｎｆが自己の識別情報、空調番号とともにサーバ装置４へアップロードされる。また、この要望情報Ｉｎｆを入力する画面は、入力装置３の起動時だけでなく、利用者の操作またはサーバ装置４からの指示によって、任意のタイミングで入力装置３に当該画面を表示させることができる。
【００３４】
要望情報取得手段４１は、利用者が使用する各自の入力装置３にインストールされたブラウザソフトを利用して、当該サーバ装置４側へ送信された要望情報Ｉｎｆを収集して、要望情報Ｉｎｆを履歴記憶手段４４に書き込む処理を行う。利用者の入力装置３から通信ネットワークＮＴを通じて送信される要望情報Ｉｎｆについては、発信された入力装置３の識別情報から、どの利用者が、何時、空間Ａのどの位置において発信したものかを、識別情報に対応付けて個人属性データベース４５に格納している個人属性情報や、外部記憶装置に格納している入力装置３の配置情報に基づいて特定するようになっており、上述の要望情報Ｉｎｆと識別情報および空調情報とを対応付けて履歴記憶手段４４に格納される。
【００３５】
このようにして入力装置３から収集された要望情報Ｉｎｆに対して、サーバ装置４の制御計画立案手段４３は、履歴記憶手段４４内に格納されている要望情報Ｉｎｆと、データベース４２内に格納されている判断基準ルールとを読み出し、「温度を上げてほしい」、「温度を下げてほしい」という相反する二つの要望情報数の利用者総数に対する割合（要望率）を算出し、この要望率の割合を判断基準ルールに照らし合わせる合意形成ロジックによって目標温度Ｔｏを決定する。ここで、空調設備装置１は空間Ａを冷房しており、「温度を上げてほしい」という要望は消費エネルギーを低減させる要望情報であり、「温度を下げてほしい」という要望は消費エネルギーを増加させる要望情報である。なお、利用者総数は、個人属性記憶手段４６に格納されている個人属性情報の数によって求められる。
【００３６】
データベース４２内に格納されている判断基準ルールは、図４に示すように、縦軸に「温度を上げてほしい」とする要望率を、横軸に「温度を下げてほしい」とする要望率をとり、両方の要望率１００％の点を結ぶ線と、「温度を上げてほしい」が６５％、「温度を下げてほしい」が３５％の点から０点を結ぶ線と「温度を下げたい」が０％の縦軸とで囲まれた領域を目標温度上昇領域「▲」とし、両方の要望率１００％の点を結ぶ線と、「温度を上げてほしい」が３５％、「温度を下げてほしい」が６５％の点から０点を結ぶ線と、「温度を上げてほしい」が０％の横軸とで囲まれた領域を目標温度下降領域「▼」とし、これら目標温度上昇領域「▲」と目標温度下降領域「▼」とで挟まる領域を目標温度維持領域「■」と設定している。但し申告が少ない場合にはその環境に対して利用者が不満を持っていないものとして利用者総数に対して「温度を下げてほしい」要望率が第１の基準値Ｋ１以下、「温度を上げてほしい」要望率が第２の基準値Ｋ２以下の領域も目標温度維持領域「■」と設定している。この判断基準ルールにおいて、第１の基準値Ｋ１、第２の基準値Ｋ２は、基準値設定手段４７によって各々変動可能に設定される。
【００３７】
制御計画立案手段４３は、上記判断基準ルールによる合意形成処理を行っており、具体的には図５のフローチャートに沿って処理を行う。まず、要望情報取得手段４１は、各入力装置３からの要望情報Ｉｎｆを履歴記憶手段４４に順次格納する（ステップＳ１）。
【００３８】
次に、基準値設定手段４７は、個人属性記憶手段４６に格納されている全利用者の個人属性情報の性別の属性に着目して、全利用者の男性と女性の各割合を算出し（ステップＳ２）、図４の判断基準ルールの第１の基準値Ｋ１、第２の基準値Ｋ２を、男性と女性の各割合に比例して設定する（ステップＳ３）。具体的には、男性の利用者が１２人、女性の利用者が４人の場合、Ｋ１：Ｋ２は１２：４となり、例えば第１の基準値Ｋ１＝３７％（利用者総数１６人中、６人からの要望に相当）、第２の基準値Ｋ２＝１２％（利用者総数１６人中、２人からの要望に相当）とする。このように、第１の基準値Ｋ１、第２の基準値Ｋ２の比を、男性と女性の各割合に比例して設定することで、一般に暑がりの傾向がある多数派の男性は、男性１２人中の６人からの「温度を下げてほしい」要望によって目標温度Ｔｏを下げることができ、一般に寒がりの傾向がある少数派の女性は、女性４人中の２人からの「温度を下げてほしい」要望によって目標温度Ｔｏを下げることができ、少数派の女性の要望も、多数派の男性の要望と同様の採用率となる。したがって、少数派の女性は、自分が要望を申告すれば採用されるかもしれないと考えて、要望を申告することで、多数派の利用者と少数派の利用者の各要望が同じように実現可能となる。
【００３９】
なお、基準値設定手段４７が第１の基準値Ｋ１、第２の基準値Ｋ２を設定する場合、第１の基準値Ｋ１および第２の基準値Ｋ２の両方を変動させる構成、または第２の基準値Ｋ２は変動させず、第１の基準値Ｋ１のみを変動させる構成、または第１の基準値Ｋ１は変動させず、第２の基準値Ｋ２のみを変動させる構成のいずれでもよい。
【００４０】
そして、制御計画立案手段４３は、利用者毎に最新の要望情報Ｉｎｆを履歴記憶手段４４から抽出して有効データとし（ステップＳ４）、これらの要望情報Ｉｎｆの有効データから要望率を算出して、上記図４の判断基準ルールの領域と要望率とに基づいた合意形成ロジックにより目標温度Ｔｏを決定する（ステップＳ５）。つまり、図４の判断基準ルールに上述の算出した要望率をプロットし、そのプロットする位置が■の範囲の場合には現在の目標温度Ｔｏを維持し、▼の場合には、現在の目標温度Ｔｏから所定値（例えばΔｔ＝０．５℃）下げた温度を新たな目標温度Ｔｏとし、▲の範囲内にあれば、現在の目標温度Ｔｏから所定値（例えばΔｔ＝０．５℃）上げた温度を新たな目標温度Ｔｏとする（ステップＳ６）。
【００４１】
次に、この目標温度Ｔｏが制御範囲の下限値と上限値の間にあるか否かをチェックし（ステップＳ７）、このチェックで範囲内であれば、当該目標温度Ｔｏを新しい目標温度Ｔｏとして決定する。一方、上限値を越えるか或いは下限値を下回る場合には、上限値或いは下限値を目標温度Ｔｏとして決定する（ステップＳ８）。
【００４２】
この目標温度Ｔｏの決定後（ステップＳ９）、制御計画立案手段４３は、空調の制御内容を入力装置３で表示するためのフィードバック情報を更新し（ステップＳ１０）、この後、決定した目標温度Ｔｏの情報を、履歴記憶手段４４に格納するとともに空調制御装置２へ送信して、空調制御装置２に新しい目標温度Ｔｏを設定する処理を行い（ステップＳ１１）、この処理後ステップＳ１に戻って以後システムの運転が停止されるまで、上述の動作を繰り返す。
【００４３】
空調制御装置２は、空間Ａ内の温度を測定する室温センサ２ａを備えており、室温センサ２ａが計測した温度計測データが、上記決定された目標温度Ｔｏに一致するように空調設備装置１を制御する。なお、上記ステップＳ１０で生成したフィードバック情報は、入力装置３からの要求によって入力装置３へ引き渡され、利用者は、入力装置３に表示された空調の制御内容を確認することができる。
【００４４】
このように、合意形成ロジックによって利用者の要望に基づく目標温度Ｔｏを設定して快適性を維持しながら、合意形成ロジックに用いる第１，第２の基準値Ｋ１，Ｋ２を利用者の属性の割合に応じて変動可能に各々設定することで、属性によって温度に対する感じ方が異なる場合でも、少数派の属性を有する利用者の要望が採用され難くなるということがなく、多数派の利用者と少数派の利用者の各要望が同じように実現可能となる。そして、全利用者の男性と女性の比率が変動した場合には、上記第１，第２の基準値Ｋ１，Ｋ２も変動して、常に適切に設定される。
【００４５】
（実施形態２）
図６は、実施形態１と同様に空間Ａに設置される空調設備装置１及び空調制御装置２と、複数の入力装置３と、サーバ装置４とで構成され、サーバ装置４は、要望情報取得手段４１と、判断基準のデータベース４２と、制御計画立案手段４３と、履歴記憶手段４４と、目標温度Ｔｏに基づいて判断基準データベース４２に登録してある判断基準の設定を行う基準値設定手段４８とを備える。なお、実施形態１と同様の構成には同一の符号を付して説明は省略する。
【００４６】
本実施形態の基準値設定手段４８は、制御計画立案手段４３が決定した目標温度Ｔｏに基づいて、図４の判断基準ルールの第１，第２の基準値Ｋ１，Ｋ２の比を変動可能に設定する。具体的には、冷房時に、冷え過ぎからの女性保護、省エネルギー化を考慮すると、第１の基準値Ｋ１は、図７（ａ）に示すように、現在の目標温度Ｔｏが２７℃以下であれば上限値であり、設定温度Ｔｏが２７℃以上であれば上限値から減少する直線または曲線上の値となる。したがって、目標温度Ｔｏが２７℃以下のときは、「温度を下げてほしい」という要望が採用され難くなり、冷え過ぎからの女性保護、省エネルギー化が可能になる。
【００４７】
また、冷房時に、冷え過ぎからの女性保護のみを考慮すると、図７（ｂ）に示すように、第１の基準値Ｋ１は、現在の目標温度Ｔｏが２４℃以下であれば上限値であり、設定温度Ｔｏが２４℃以上であれば上限値から減少する直線または曲線上の値となる。したがって、目標温度Ｔｏが２４℃以下のときは、「温度を下げてほしい」という要望が採用され難くなり、冷え過ぎからの女性保護が可能になる。
【００４８】
なお、図７中の上限値（１％〜１００％）、上限値から減少を開始する目標温度Ｔｏは、システムの特性に合わせて任意に設定できる。
【００４９】
このように、合意形成ロジックによって利用者の要望に基づく目標温度Ｔｏを設定して快適性を維持しながら、合意形成ロジックに用いる第１，第２の基準値Ｋ１，Ｋ２を目標温度Ｔｏに応じて変動可能に各々設定することで、目標温度Ｔｏが一定温度以下の場合は、多数派の男性の「温度を下げてほしい」という要望が採用され難くなり、利用者の性別によって温度に対する感じ方が異なる場合でも、少数派の属性を有する女性の「温度を上げてほしい」という要望が採用され難くなるということがなく、多数派の利用者と少数派の利用者の各要望が同じように実現可能となる。
【００５０】
また、暖房時に省エネルギーを考慮すると、第２の基準値Ｋ２は、図７（ｃ）に示すように、現在の目標温度Ｔｏが２０℃以上であれば上限値であり、設定温度Ｔｏが２０℃以下であれば上限値から減少する直線または曲線上の値となる。したがって、目標温度Ｔｏが２０℃以上のときは、「温度を上げてほしい」という要望が採用され難くなり、省エネルギーが可能になる。
【００５１】
なお、上記実施形態では、空調設備装置１が空間Ａを冷房している場合について主に例示しているが、空調設備装置１が空間Ａを暖房する場合は、「温度を上げてほしい」という要望が消費エネルギーを増加させる要望情報となり、「温度を下げてほしい」という要望が消費エネルギーを低減させる要望情報となり、冷房時と同様に処理できる。
【図面の簡単な説明】
【００５２】
【図１】実施形態１の空調制御システムの構成を示す図である。
【図２】同上の空調制御対象の空間を示す図であって、（ａ）は空間における空調設備の配置例図、（ｂ）は空間における入力装置及びサーバ装置の配置例図である。
【図３】同上の入力装置のモニタ画面を示す図である。
【図４】同上の判断基準ルールを示す図である。
【図５】同上の空調制御処理のフローチャートを示す図である。
【図６】実施形態２の空調制御システムの構成を示す図である。
【図７】（ａ）〜（ｃ）同上の基準値の設定処理を示す図である。
【符号の説明】
【００５３】
１  空調設備装置
２  空調制御装置
３  入力装置
４  サーバ装置
４１  要望情報取得手段
４３  制御計画立案手段
４６  個人属性記憶手段
４７  基準値設定手段
Ａ  空間
ＮＴ  通信ネットワーク
【図１】
2008241160.tif 000003
【図２】
2008241160.tif 000004
【図３】
2008241160.tif 000005
【図４】
2008241160.tif 000006
【図５】
2008241160.tif 000007
【図６】
2008241160.tif 000008
【図７】
2008241160.tif 000009